(57)【要約】【課題】      展示ケースの胴体部に落し込んだ上げ底用支持部材の脱落を防止する。【解決手段】  所定の形状に裁断した透明な合成樹脂板材を折り曲げて上下面が開放するように形成した筒体４と、この筒体の長辺両下縁から連なって上記筒体内に折り返した係止片５とで成した胴体部Ａと、上面の幅が上記筒体の両長辺縁間の幅よりも小さく、かつ全長が前記筒体の長辺縁より短かい頂壁６と、この頂壁の両側縁から下広がりに突出する脚側壁７とで構成した上げ底用支持部材Ｂとからなり、上記胴体部内の底側に上記支持部材を嵌入すると共に、上記両脚側壁の内側に上記係止片を存在させ、また上記頂壁の下面に上記係止片の復帰反転を阻止する掛止手段Ｃを設けた構成を採用する。【選択図】図１
2009091041.tif 000002
【特許請求の範囲】
【請求項１】
所定の形状に裁断した透明な合成樹脂板材を折り曲げて上下面が開放するように形成した筒体と、この筒体の長辺両下縁から連なって上記筒体内に折り返した係止片とで構成した胴体部と、上面の幅が上記筒体の両長辺縁間の幅よりも小さく、かつ全長が前記筒体の長辺縁より短かい頂壁と、この頂壁の両側縁から下広がりに突出する脚側壁とで構成した上げ底用支持部材とからなり、上記胴体部内の底側に上記支持部材を嵌入すると共に、上記両脚側壁の内側に上記係止片を存在させ、また上記頂壁の下面に上記係止片の復帰反転を阻止する掛止手段を設けたことを特徴とする展示ケース。
【請求項２】
所定の形状に裁断した透明な合成樹脂板材を折り曲げて上下面が開放するように形成した筒体と、この筒体内の底に嵌入して保持手段により保持させた上げ底用支持部材とで胴体部を構成し、この胴体部に挿入した商品の上部を上記筒体の上縁に対し上方に突出させる展示方式において、上記の支持部材を上下に複数段の積み重ね分割支持部材により形成すると共に、この各段の分割支持部材を着脱自在な取付け手段を介し積み重ね、分解可能にし、丈が大きくなる立ち読み防止具付ブックを上記胴体部に挿入する際上方への突出度合いを調整するための取り外した上段側の分割支持部材を回収するようにしたことを特徴とする展示装置。
【請求項３】
上面に開放する挿入口を有し、かつ下面に底を有する透明な筒状の胴体部に上記挿入口からマンガなどのブックを挿入する形成の展示装置において、上記ブックに立ち読み防止具をセットすると共に、上記胴体部の上縁に対し上記立ち読み防止具の上部を突出させてあることを特徴とする展示装置。
【発明の詳細な説明】
【技術分野】
【０００１】  この発明は、レンタルショップの棚に並べて使用する展示ケース（展示装置）に関する。
【背景技術】
【０００２】  ＣＤ、ＤＶＤなどの記録媒体を収納した貸出しケースやマンガその他の雑誌などのレンタル商品をレンタルショップの棚に陳列する場合、ショップ側の展示ケースに収納して並べている。【０００３】  上記の展示ケースは、透明な合成樹脂により上面を開放させて形成してあり、開放する開口から展示ケースに商品を挿入する。【０００４】  その際、挿入した商品の上端（上縁）部を展示ケースの上面（上縁）に対し上方に突出させて、その突出により展示ケースに商品の存在（貸出し可能な状態である旨を知らせる）することを知らせる（実用新案登録公報第２５５９０２７号参照）。【０００５】  そして、展示ケースは、透明な合成樹脂板材の折り曲げにより形成した筒状の胴体部と、この胴体部の下部内に嵌入して嵌入した部分により上げ底にすると共に、胴体部の下縁側に取着した台座との二部品により形成されている（特許文献１）。【０００６】  また他の展示ケースは、透明な合成樹脂板材の折り曲げにより形成した周囲四面の背壁、表壁、裏壁及び後壁からなる筒体と、この筒体の底に取付ける上げ底用の支持部材との二部品により構成されている（特許文献２）。【０００７】
【特許文献１】  特開２００４−２７６９４７号公報
【０００８】
【特許文献２】  特開２００６−２０６８７号公報
【発明の開示】
【発明が解決しようとする課題】
【０００９】  ところで、特許文献１の展示ケースは、胴体部に対する上げ底用の台座を取着している。【００１０】  この取着方式は、胴体部の周囲対向する二面の係止穴に台座の両端のツメを嵌入（係合関係になる）して取付けたり、或いは溶着して取付ける。【００１１】  このような取着方式によると、ツメと係止穴との嵌入にともない係止関係にするため、係止関係に著しく手数がかかり、又溶着にともない別途熱溶着装置を必要とする問題があった。【００１２】  また、特許文献２の展示ケースの筒体の上げ底用支持部材は、筒状部の両側下面と底蓋部の両側上面とで角筒の表壁及び裏壁の下縁から連なって互いに内方に折り曲げた両底壁を狭持して取付け、この取付けにともない筒体の底を閉鎖すると共に、取付けた支持部材の筒状部の筒体内での存在により上げ底とするので、支持部材の取付けに著しく手数がかかり、又支持部材が筒状部と底蓋壁の二部品のため、大幅なコストアップになる問題があった。【００１３】  さらに、展示ケースにマンガなどのブックを挿入して展示すると、ブックを抜き取って立ち読みされる問題もあった。【００１４】  そこで、この発明は上述の問題を解決した展示ケースや展示装置を提供することにある。
【課題を解決するための手段】
【００１５】  上記の課題を解決するために、この発明は、所定の形状に裁断した透明な合成樹脂板材を折り曲げて上下面が開放するように形成した筒体と、この筒体の長辺両下縁から連なって上記筒体内に折り返した係止片とで成した胴体部と、上面の幅が上記筒体の両長辺縁間の幅よりも小さく、かつ全長が前記筒体の長辺縁より短かい頂壁と、この頂壁の両側縁から下広がりに突出する脚側壁とで構成した上げ底用支持部材とからなり、上記胴体部内の底側に上記支持部材を嵌入すると共に、上記両脚側壁の内側に上記係止片を存在させ、また上記頂壁の下面に上記係止片の復帰反転を阻止する掛止手段を設けた構成を採用する。【００１６】  すると、胴体部に嵌入してある上げ底用支持部材は、支持部材の両側脚壁の内側に存在する折り返し係止片の折り返し境部分（反転屈曲部）によって受け止められ、また支持部材の頂壁下面から下向きに突出した掛止手段により胴体部内の折り返し両係止片の復帰方向の反転が阻止される。【００１７】  また、所定の形状に裁断した透明な合成樹脂板材を折り曲げて上下面が開放するように形成した筒体と、この筒体内の底に嵌入して保持手段により保持させた上げ底用支持部材とで胴体部を構成し、この胴体部に挿入した商品の上部を上記筒体の上縁に対し上方に突出させる展示方式において、上記の支持部材を上下に複数段の積み重ね分割支持部材により形成すると共に、この各段の分割支持部材を着脱自在な取付け手段を介し積み重ね、分解可能にし、丈が大きくなる立ち読み防止具付ブックを上記胴体部に挿入する際上方への突出度合いを調整するための取り外した上段側の分割支持部材を回収するようにしたことを特徴とする展示装置を採用する。【００１８】  すると、立ち読み防止具をセットしたブックを胴体部に挿入する際、取付け手段により下段支持部材に対し取付けていた上段支持部材を取り外してショップ側に回収しておくことで、立ち読み防止具のセットにともない丈が大きくなったブックの展示ケースに挿入した際の展示ケースの上縁から上方への突出度合いが極端に大きくならないようにできると共に、抜き取ったブックの立ち読みを立ち読み防止具で防止する。【００１９】さらに、上面に開放する挿入口を有し、かつ下面に底を有する透明な筒状の胴体部に上記挿入口からマンガなどのブックを挿入する形成の展示装置において、上記ブックに立ち読み防止具をセットすると共に、上記胴体部の上縁に対し上記立ち読み防止具の上部を突出させてあることを特徴とする展示装置を採用する。【００２０】  すると、展示してあるブックを抜き取って、抜き取ったブックの立ち読みを防止する。
【発明の効果】
【００２１】  以上のように、この発明の展示ケースによれば、胴体部の底側に嵌入した上げ底用支持部材を、胴体部内の筒体内に折り返してある両係止片を支持部材の両脚側壁の内側に存在させると共に、係止片の折り返し境の部分で脚側壁の下縁を受け止めて脱落を阻止する。【００２２】  このため、手間のかかる胴体部の底の閉鎖作業が不要になると共に、胴体部の底の溶着などによる閉鎖が不要なため胴体部の扁平な折畳みができて、箱詰めの出荷数量が大幅に増加し、かつ嵩低く格納できる効果もある。【００２３】  そして、組立て状況下に上げ底用支持部材の頂壁下面に設けてある掛止手段に筒体内の折り込み両係止片の突出方向縁が掛止関係になって復帰方向の反転を阻止する。【００２４】  このため、折り込んである両係止片の折り込み姿勢が維持されて、支持部材の落脱阻止を持続する効果がある。【００２５】  また、上げ底用支持部材の頂壁の両側縁間の幅を筒体の両長辺縁間の幅よりも小さくしてあり、かつ全長が上記長辺縁よりも短くしてあるので、挿入ジャケットシートの下縁の落し込みもスムーズになる。【００２６】  また、上げ底用支持部材を上下に複数段の積み重ね分割支持部材により形成すると共に、この各段の分割支持部材を着脱自在な取付け手段を介し積み重ね、分解可能にしてあるので、胴体部内に下段側の分割支持部材を残して分解した上段側の分割支持部材を回収（ショップ側やブックのセット作業場などに）する。【００２７】  すると、立ち読み防止具をセットしたマンガなどの雑誌を展示ケースの胴体部に挿入した際、立ち読み防止具の上辺側の胴体部の上縁に対する突出度合いが極端に大きくならず、ショップの棚上への陳列ができる。すなわち、上げ底用支持部材の上下方向の厚みが厚すぎると、セットしてある立ち読み防止具の上辺側の胴体部に対する上方への突出度合いが大きいため、上段の棚に引っかかって陳列できない問題をなくすると共に、抜き取ったブックの立ち読みを立ち読み防止具で防止する。【００２８】  さらに、挿入口から胴体部に立ち読み防止具のセットしたマンガなどのブックを挿入して展示するので、胴体部から抜き取ったブックを立ち読みしようとしてもセットしてある立ち読み防止具で防止する以外に、読みたいという意欲により購買効果が増す。
【発明を実施するための最良の形態】
【００２９】  この発明の第１の実施形態では、図１から図５に示すように、Ａは所定の形状に裁断した透明な合成樹脂板材を折り曲げて上面に商品ａの挿入用開口１を有するように形成した胴体部である。【００３０】  上記の胴体部Ａは、１枚の板材により対向する広幅な両側壁２、２及び対向する細幅な端壁３、３とで上面に開口１を有する周囲四面の筒体４を形成し、片方の端壁３を内と外で重なり合って、この重なり合った両端壁３を熱溶着や接着剤などで固着して構成する。【００３１】  また、筒体４の両側壁２、２の下縁（長辺縁）には、筒体４内に折り返した係止片５が設けてある。【００３２】  Ｂは胴体部Ａの下部内に嵌入する上げ底用の支持部材である。【００３３】  上記の支持部材Ｂは、上面の両側縁間の幅が対向する側壁２間の間隔よりも小さく、かつ全長が対向する端壁３間の間隔よりも若干小さくなっている頂壁６と、この頂壁６の両側縁から下広がりに（この下広がりの角度は、両下縁が側壁２、２の下縁の内側に納まるようになっている）突出する脚側壁７、７とで構成され、金型を用いた成形製品以外に、合成樹脂性の板材を折れ線により折り曲げて形成することもできる。【００３４】  上記の係止片５は、上げ底用支持部材Ｂの両脚側壁７、７の内側に存在するように折り返してあり、係止片５の折り返し境の部分で脚側壁７の下縁を受け止めている。【００３５】  そして、係止片５も側壁２の下縁全長から折り返した１枚のものや、隣接縁を切り離した点在的な複数枚配列したものでもよい。【００３６】  なお、図示の場合頂壁６の両端から下方外方に下り勾配傾斜端壁８を設けたが、傾斜端壁８の有無は、限定されず、又頂壁６先端部を図示の場合先細り状にして、胴体部Ａに開口１から挿入するジャケットシート９の背表紙と表裏表紙の連成部分（弧状の屈曲部分）の落し込みに引っかかりなどの抵抗をなくしてスムーズな挿入をはかるようにしたが、先細りの有無は限定されない。【００３７】  また、上げ底用支持部材Ｂの頂壁６の下面には、筒体４内に折り返してある係止片５の復帰反転を阻止する掛止手段Ｃが設けてある。【００３８】  上記の掛止手段Ｃは、図示の場合頂壁６の下面点在位置から下方に突出する突出体１１と、この突出体１１の突出方向端の両側縁から突出する突部１２とで構成され、両側の係止片５の突出方向縁から連なる舌片１３が突部１２の銛状の段部１４に支持部材Ｂの押し込みセット時に乗りこえて引っかかることで係止片５の復帰反転を阻止するようにしたが、限定されず、例えば突出体１１の側縁に係止片５の突出方向の縁が当接して目的を達成することもある。【００３９】  要するに、上げ底用の支持部材Ｂのセットにともない胴体部Ａに挿入した商品ａ（この商品は、例えばＣＤ、ＤＶＤなどの記録媒体を収納した袋出しや販売ケース或いは立ち読み防止のため袋やブックカバーで包装してあるマンガなどの雑誌などがある）の荷重により係止片５が反転復帰して、胴体部Ａから支持部材Ｂの脱落を阻止する。【００４０】  なお、係止片５も図示のように支持部材Ｂの先細り部分の形状に見合う形状にすることもあり、また、係止片５も側壁２の下縁全長に一枚、並列する複数枚設ける以外に必要な範囲のみ設け、係止片５の設けてない部分に両側の対向縁を噛み合い状に係合させた保形底壁（図示省略）を設けることもある。【００４１】  勿論、係止片５の反転阻止を掛止手段Ｃのみにより行なうようにしたが、上記の反転阻止方式以外に例えば係止片５の所定位置に設けてある透孔に脚側壁７の内面から突出させてある鍔付の突軸を貫通させて（図示省略）おくと、支持部材Ｂの定位置の保持が安定する。【００４２】  この発明の第２の実施形態では、図６から図８に示すように、第１の実施形態の胴体部Ａ内の底に上げ底用支持部材Ｂが嵌入してあり、この支持部材Ｂは、胴体部Ａに保持手段Ｅにより保持されている。【００４３】  上記の保持手段Ｅは、図示の場合胴体部Ａを構成する筒体４の下縁両長辺縁（側壁２の下縁）から連なって筒体４内に係止片５を折り返す（反転させて）と共に、この両係止片５を支持部材Ｂを構成する頂壁６の両側縁から連なる両側脚側壁７の内側に存在させて、両脚側壁７の下縁を係止片５の折り返し屈曲部分で受架させるようにしたが、限定されず、例えば特開２００４−２７６９４７号公報や、特開２００６−２０６８７号公報の上げ底用支持部材であってもよい。【００４４】  要するに、筒体４の下縁内に嵌入して取付けた上げ底用支持部材Ｂにより開口１から胴体部Ａに挿入した商品ａの底を受架して、胴体部Ａの上縁から商品ａの上部を突出させて、商品ａの存在を知らせる（図６に示すように）ことにある。【００４５】  そして、支持部材Ｂを上下に複数段（図６、７、８の二段に限定されず、図１２に示す三段であってもよい）の積み重ねできるように分割して、分割された各分割支持部材２１を着脱自在な取付け手段Ｄにより積み重ねと分解可能にできるようにしてある。【００４６】  上記の各分割支持部材２１は、第１の実施形態の支持部材Ｂと同様の頂壁６と両脚側壁７とで構成したが限定されず、下段の分割支持部材２１に対し上段の分割支持部材２１を板状などにしてもよい。【００４７】  上記上段及び下段の分割支持部材２１は、図示の場合第１の実施形態と同様の支持部材Ｂと同様につき、構成の説明を省略する。【００４８】  また、図示の場合頂壁２３の両端に端壁８’を設けたが、端壁８’の有無は限定されない。【００４９】上記の取付け手段Ｄは、例えば図示の場合下段の分割支持部材２１の頂壁６に両端が頂壁６の側壁に向く二条の長孔２５を設けて、この長孔２５に上段の分割支持部材２１の頂壁２３下面から突出する二枚の弾片２６を貫通すると共に、この弾片２６の片面途中に設けてある突部２７が長孔２５の通過時弾片２６を押し逃がし、通過後に弾片２６の押し逃がしがなくなるにともない長孔２５の下縁に突部２７が引っかかって弾片２６が上方に抜けないようになって、積み重なった下段の分割支持部材２１と上段の分割支持部材２１との一体化の維持をはかり、図８に示すように下段の分割支持部材２１から下方に突出する両弾片２６の先をつまんで引き寄せることで、長孔２５の下縁と突部２７との引っかかりを解除し、この状況下で弾片２６を上方に押し上げると、下段の分割支持部材２１から上段の分割支持部材２１が外れるようになっているが、限定されず、その他の方式例えばボルトとナットからなる締付具を用いて着脱自在にすること��できる。【００５０】  なお、図示の場合下段の分割支持部材２１に対し上段の分割支持部材２１を若干短くなっているが、限定されない。【００５１】  図中３１は筒体４の上縁に設けた内方への折り込むジャケットシートの保持片、３２は係止片５の途中に設けた折れ線である。【００５２】  上記のように構成すると、下段の分割支持部材２１上に上段の分割支持部材２１を重ね、かつ取付け手段Ｄにより下段の分割支持部材２１に上段の分割支持部材２１を一体化した上げ底用支持部材Ｂを胴体部Ａにセットした（セット方式は、第１の実施形態と同様につき説明を省略する）状態にあっては、図６に示すように開口１から筒体４内に商品ａを挿入してショップの棚に展示する。【００５３】  しかしながら、商品ａのブックＳにマンガなどのブックＳの立ち読み防止具Ｔをセットして筒体４に挿入すると、立ち読み防止具Ｔの錠装置Ｋにより丈が大きくなり、この丈が大きいために筒体４から上方への突出度合いが大きくなって、この要因によりショップの棚に陳列すると、上段の棚に錠装置Ｋが突き当り、或いは上段の棚下面とに指の挿入間隙が極少になって引き出しができない問題のため、まず上げ底用支持部材Ｂの上段の分割支持部材２１を取付け手段Ｄによる取付けを解除して、取り外した上段の分割支持部材２１をショップ側やブックのセット作業場などに回収する。【００５４】  なお、取り外した上段の分割支持部材２１の回収の際胴体部Ａを逆さまにすることで取り出しが容易になる。その際下段の分割支持部材２１は掛止手段Ｃで移動がない。【００５５】  上記の移動止めは（強い力を下段の分割支持部材２１に作用させた際の）、例えば係止片５の透孔に脚側壁７の内側面から突出する鍔付の突軸を貫通させて行なえばよい。【００５６】  すると、図１１に示すように筒体４の（胴体部Ａの）底には、下段の分割支持部材２１のみが残り、立ち読み防止具ＴのセットずみブックＳを胴体部Ａに挿入すると、胴体部Ａの上縁に対する上方への突出長さは、錠装置Ｋの部分となって突出度合いが減少される。【００５７】  このため、ショップの棚に何ら支障なく展示ケースを並べて陳列することができる。【００５８】  上記の立ち読み防止具Ｔとしては、例えば周知の図９から図１１に示すように、扁平な筒状（平行する両側壁の片方の途中が切り離してあってもよい。）の保持部材５１にブックＳの全部或いは少なくとも片方の表紙５２のみ、表紙５２と一部の綴じ込み紙５３を保持部材５１の片方の側壁外に露出するように挿入する。【００５９】  挿入したブックＳは、例えば保持部材５１のストッパ５４により挿入方向の通り抜け（通過）を阻止するか、或いは少なくとも片方の表裏の表紙５２の内側又は綴じ込み紙５３間に介在する保持部材５１の側壁や、保持部材の頂壁９１、底壁９２の少なくとも片方の内面から突出して綴じ込み紙間に食い込む食い込み片９３で行なう。【００６０】  次いで、保持部材５１の上辺の筒状の挿入路５５に挿入部材５６を挿入して、挿入部材５６のストッパ５７をブックＳの背表紙５８の表面に位置させて、錠装置Ｋにより挿入路５５から挿入部材５６の引き抜きを阻止した状況下では、保持部材５１に対するブックＳの抜き取りが図示の場合保持部材５���と両ストッパ５４、５７とで防止され、又ブックＳの立ち読みは、保持部材５１により抱き込まれていない部分、例えば少なくとも片方の表紙や一部の綴じ込み紙のみになる。【００６１】  上記の錠装置Ｋとしては、図示の場合挿入部材５６のスライド方向に複数設けてある挿入にともない押し戻される係止爪６１と、挿入路５５の壁に挿入部材５６の挿入終了にともない係止爪６１に合致する貫通孔６２とで構成され、貫通孔６２に押し戻しの解除された係止爪６１が嵌入して係止関係になり、この係止関係により挿入路５５から挿入部材５６が引き抜かれない形式になっているが、限定されずその他の形式の錠装置を（図示省略）採用すればよい。【００６２】  なお、係止関係の解除は、図示方式によると、ショップ側の解除具で係止爪６１を押し戻して、貫通孔６２から係止爪６１を脱出させる。【００６３】  図中９１′は上段支持部材２１の頂壁２３の両端から下向きに突出する突軸９２′を貫通させるように下段支持部材２１の頂壁６に設けた透孔である。【００６４】  この発明の第３の実施形態でのＡ’は、図１３に示すように、上面に開放する挿入口７１を有し、下面に底７２を有する透明な筒体７３により形成した胴体部である。【００６５】  上記胴体部Ａ’を形成する筒体７３は、例えば所定の形状に裁断した透明な合成樹脂板材を筒状に折り曲げて対向する太幅な側壁２、２及び対向する細幅な端壁３、３とで（第１の実施形態の構成と同様につき筒状にするための詳細な説明を省略する）形成してあり、底７２は、図１２に示すように第１の実施形態と同様に両側壁２、２の下縁に連なる係止片５を筒体７３内に折り返し、筒体７３内に嵌入した第１の実施形態と同様の上げ底用支持部材Ａの両脚側壁７の内側に係止片５を存在させて支持部材Ｂを係止片５により受架するようにしたが（第１の実施形態と同様の係止手段Ｃを設けてもよい）限定されず、例えば図１３に示すように両側壁２の下縁に重なる底壁７４を上下で重なるように折り曲げて、重なる両底壁７４を熱溶着部７５で固定したり、図１４、１５に示すように両底壁７４の突出方向縁の連続する凹凸部７６を噛み合い状に掛合させる方式などを採用して底７２とすることもある。【００６６】  その際、凹凸部７６の噛み合いにともない両底壁７４が登り傾斜して上げ底としての役目をする。勿論、底７２も上記以外に例えば特開２００４−２７６９４７号公報のものや、特開２００６−２０６８７号公報のものであってもよい（上げ底用支持部材付の）。【００６７】  要するに挿入口７１から立ち読み防止具ＴのセットずみブックＳを挿入し、挿入したブックＳの下面を底７２により受け止めて、ブックＳの上部（ブックＳの上縁一部）や、セットしてある立ち読み防止具Ｔの上縁を挿入口７１の上縁から上方に突出させて、胴体部Ａ’内にブックＳが存在している旨を知らせるもので、胴体部Ａの丈も上記の目的に応じて決定する。【００６８】  なお、立ち読み防止具Ｔの構成及び立ち読み防止具Ｔに対するブックＳのセット方法は、第２の実施形態と同様につき説明を省略する。【００６９】  又胴体部Ａ’に挿入したジャケットシート７７の上縁は、保持片３１により抱き込んである。【００７０】  更に第３の実施形態に��用した支持部材Ｂの構成は、第１の実施形態と同様につき説明を省略する。【００７１】  上記のように構成すると、ショップで陳列してあるブックＳの立ち読みをセットしてある立ち読み防止具Ｔにより防止する。【００７２】  勿論、立ち読み防止にともないブックの購売が向上する。【００７３】  また、第２、第３の実施形態に使用する立ち読み防止具Ｔに周知の盗難防止タグ９４を設けて、盗難を防止することもある。【００７４】  さらに、上述の上げ底用支持部材Ｂは、ショップ側や出荷するメーカー側などで胴体部Ａ、Ａ’に嵌入して組み立てておく。
【図面の簡単な説明】
【００７５】
【図１】  この発明の第１の実施形態を示す分解斜視図
【図２】  同斜視図
【図３】  使用状態を示す縦断正面図
【図４】  同縦断正面図
【図５】  同下面図
【図６】  第２の実施形態の使用を示す縦断側面図
【図７】  上げ底用支持部材の分解斜視図
【図８】  同上の積み重ねた縦断拡大側面図
【図９】  同上に使用する立ち読み防止具の分解斜視図
【図１０】  同上の使用を示す縦断側面図
【図１１】  下段支持部材の使用を示す縦断側面図
【図１２】  支持部材の他の例を示す縦断側面図
【図１３】  第３の実施形態を示す縦断側面図
【図１４】  胴体部の底の例を示す縦断正面図
【図１５】  同底の他の例を示す縦断正面図
【図１６】  同上の底面図
【符号の説明】
【００７６】Ａ            胴体部
ａ            商品
Ｂ            支持部材
１            開口
２            側壁
３            端壁
４            筒体
５            係止片
６            頂壁
７            脚側壁
８、８’      端壁
Ｃ            係止手段
１１          突出体
１２          突部
１３          舌片
１４          段部
２１          上段支持部材
２２          下段支持部材
２３          頂壁
２４          側壁
Ｄ            取付手段
２５          長孔
２６          弾片
２７          突部
３１          保持片
Ｓ            ブック
Ｔ            立ち読み防止具
Ｋ            錠装置
Ａ’          胴体部
７１          挿入口
７２          底
７３          筒体
７４          底壁
７５          熱溶着部
７６          凹凸部
７７          ジャケットシート
【図１】
2009091041.tif 000003
【図２】
2009091041.tif 000004
【図３】
2009091041.tif 000005
【図４】
2009091041.tif 000006
【図５】
2009091041.tif 000007
【図６】
2009091041.tif 000008
【図７】
2009091041.tif 000009
【図８】
2009091041.tif 000010
【図９】
2009091041.tif 000011
【図１０】
2009091041.tif 000012
【図１１】
2009091041.tif 000013
【図１２】
2009091041.tif 000014
【図１３】
2009091041.tif 000015
【図１４】
2009091041.tif 000016
【図１５】
2009091041.tif 000017
【図１６】
2009091041.tif 000018